(57)【要約】【課題】フランジを一体的に備えたレンズを有しながらも、径方向の増大を極力抑えて小型化でき且つフランジの軸方向を高精度に形成して組立を高精度化可能な撮像モジュール及び結像レンズを提供する。【解決手段】フランジ部１２ｂを備えたレンズ１２を有する結像レンズ１０と、レンズ１２の後方に撮像素子２０を有する。最も撮像素子側のレンズ１２の外周部１２ｂｏは撮像素子側に向けて径が大きくなるように傾斜している。レンズ１２はゲート跡が撮像素子近傍に位置するように射出成型されている。結像レンズ１０は物体側ほど径が小さいレンズ１１，１２とこれらのレンズの外周部を保持する枠部材１３を有する。枠部材の外周部１３ｏは撮像素子側に向けて径が大きくなる傾斜部１３ｏ１を有する。枠部材の内周部１３ｉはフランジ部の外周部１２ｂｏとの間に撮像素子側に向けて隙間が大きくなる傾斜部１３ｉ１を有する。【選択図】図１
2008129133.tif 000002
【特許請求の範囲】
【請求項１】
フランジ部を備えたレンズを有する結像レンズと、前記フランジ部を備えたレンズの後方に配置された撮像素子を有する撮像モジュールにおいて、
最も前記撮像素子側の前記フランジ部を備えたレンズの外周部が、該撮像素子側に向かうにつれて径が大きくなるように傾斜していることを特徴とする撮像モジュール。
【請求項２】
前記最も前記撮像素子側の前記フランジ部を備えたレンズが、ゲート跡が該撮像素子の近傍に位置するように、射出成型で製造されていることを特徴とする請求項１に記載の撮像モジュール。
【請求項３】
前記結像レンズが２枚以上のレンズを有し、
前記２枚以上のレンズにおいて、物体側に近いレンズであるほど径が小さいことを特徴とする請求項１又は２に記載の撮像モジュール。
【請求項４】
前記結像レンズが、該結像レンズに備わるレンズの外周部を保持する枠部材を有し、
前記枠部材の外周部が、前記撮像素子側に向かうにつれて径が大きくなるように傾斜した傾斜部を有していることを特徴とする請求項１〜３のいずれかに記載の撮像モジュール。
【請求項５】
前記枠部材の内周部が、前記フランジ部を備えたレンズにおける該フランジ部の外周部との間に前記撮像素子側に向かうにつれて大きくなる隙間ができるように、該撮像素子側に向かうにつれて径が大きくなるように傾斜した傾斜部を有していることを特徴とする請求項４に記載の撮像モジュール。
【請求項６】
前記枠部材が、不透光性の材料からなり、前記結像レンズに備わるレンズの外周部の略全てを覆うように配置されていることを特徴とする請求項４に記載の撮像モジュール。
【請求項７】
前記枠部材が、不透光性の材料からなり、前記結像レンズに備わるレンズ外周部の一部を覆うように配置され、
前記結像レンズに備わるレンズの外周部における前記枠部材で覆われない部位に、遮光部材が配置されていることを特徴とする請求項４に記載の撮像モジュール。
【請求項８】
前記遮光部材が、黒色塗料が配合された接着剤であることを特徴とする請求項７に記載の撮像モジュール。
【請求項９】
フランジ部を備えたレンズを有し、該フランジ部を備えたレンズを撮像素子の前方に配置された状態で撮像モジュールに用いられる結像レンズにおいて、
最も撮像素子側の前記フランジ部を備えたレンズの外周部が、該撮像素子側に向かうにつれて径が大きくなるように傾斜していることを特徴とする撮像モジュール用結像レンズ。
【請求項１０】
前記最も前記撮像素子側の前記フランジ部を備えたレンズが、ゲート跡が該撮像素子の近傍に位置するように、射出成型で製造されていることを特徴とする請求項９に記載の撮像モジュール用結像レンズ。
【請求項１１】
２枚以上のレンズを有し、
前記２枚以上のレンズにおいて、物体側に近いレンズであるほど径が小さいことを特徴とする請求項９又は１０に記載の撮像モジュール用結像レンズ。
【請求項１２】
前記撮像モジュール用結像レンズに備わるレンズの外周部を保持する枠部材を有し、
前記枠部材の外周部が、前記撮像素子側に向かうにつれて径が大きくなるように傾斜した傾斜部を有していることを特徴とする請求項９〜１１のいずれかに記載の撮像モジュール用結像レンズ。
【請求項１３】
前記枠部材の内周部が、前記フランジ部を備えたレンズにおける該フランジ部の外周部との間に前記撮像素子側に向かうにつれて大きくなる隙間ができるように、該撮像素子側に向かうにつれて径が大きくなるように傾斜した傾斜部を有していることを特徴とする請求項１２に記載の撮像モジュール用結像レンズ。
【請求項１４】
前記枠部材が、不透光性の材料からなり、前記撮像モジュール用結像レンズに備わるレンズの外周部の略全てを覆うように配置されていることを特徴とする請求項１２に記載の撮像モジュール用結像レンズ。
【請求項１５】
前記枠部材が、不透光性の材料からなり、前記撮像モジュール用結像レンズに備わるレンズの外周部の一部を覆うように配置され、
前記撮像モジュール用結像レンズに備わるレンズの外周部における前記枠部材で覆われない部位に、遮光部材が配置されていることを特徴とする請求項１２に記載の撮像モジュール用結像レンズ。
【請求項１６】
前記遮光部材が、黒色塗料が配合された接着剤であることを特徴とする請求項１５に記載の撮像モジュール用結像レンズ。
【請求項１７】
前記撮像モジュールが内視鏡用に構成されていることを特徴する請求項１〜８のいずれかに記載の撮像モジュール。
【請求項１８】
前記撮像モジュール用結像レンズが内視鏡用に構成されていることを特徴する請求項９〜１６のいずれかに記載の撮像モジュール用結像レンズ。
【請求項１９】
最も撮像素子側のレンズの光学部の中心の厚さをｔ１、該最も撮像素子側のレンズの光学面面頂から撮像素子までの距離をｔ２としたとき、次の条件式(1)を満足することを特徴とする請求項１に記載の撮像モジュール。
ｔ２／ｔ１≧０．８                                      …(1)
【請求項２０】
前記枠部材の内周部のテーパ角をＡ、前記撮像モジュール用結像レンズに備わるレンズの外周部のテーパ角をＢとしたとき、次の条件式(2)を満足することを特徴とする請求項５に記載の撮像モジュール。
Ａ／Ｂ≧１．５                                          …(2)
【請求項２１】
最も撮像素子側のレンズの光学部の中心の厚さをｔ１、該最も撮像素子側のレンズの光学面面頂から撮像素子までの距離をｔ２としたとき、次の条件式(1)を満足することを特徴とする請求項９に記載の撮像モジュール用結像レンズ。
ｔ２／ｔ１≧０．８                                      …(1)
【請求項２２】
前記枠部材の内周部のテーパ角をＡ、前記撮像モジュール用結像レンズに備わるレンズの外周部のテーパ角をＢとしたとき、次の条件式(2)を満足することを特徴とする請求項１３に記載の撮像モジュール用結像レンズ。
Ａ／Ｂ≧１．５                                          …(2)
【発明の詳細な説明】
【技術分野】
【０００１】
本発明は、フランジ部を一体的に備えたレンズを有する撮像モジュール及び撮像モジュール用結像レンズに関し、特に、内視鏡に好適な小型で薄型の撮像モジュール及び撮像モジュール用結像レンズに関するものである。
【背景技術】
【０００２】
従来、撮像モジュールにおいては、コスト、及び製造誤差を低減するために、撮像モジュールを構成する一部のレンズにフランジ部を一体的に備えて、部材点数を削減し、組立性をよくしようとするものが提案されている。そのような撮像モジュールとしては、例えば、次の特許文献１に記載のものがある。
【特許文献１】特開２００３−４６８２５号公報
【発明の開示】
【発明が解決しようとする課題】
【０００３】
ところで、レンズにフランジ部を一体的に備えると、その分、レンズが径方向に大きくなり、撮像モジュールが全体的に大きくなってしまう。
また、フランジ部を一体的に備える場合は、射出成型でレンズを作成するが、型を成型品から抜き易くするために、フランジ部の側面をテーパにする必要がある。このため、フランジ部を一体化した射出成型レンズは、径方向に更に大きくなり、そのようなレンズを用いた撮像モジュールは全体的に更に大きくなってしまう。
【０００４】
一方、内視鏡等に用いられる撮像モジュールでは、患者への負担を極力軽減し、また、操作者の操作性を向上するために、径方向を極力小型化することが求められている。従って、フランジ部を一体的に備えたレンズを有する撮像モジュールにおいては、径方向の大型化を極力抑えて小型化することが特に重要である。
しかし、特許文献１に記載の撮像モジュール等、従来のフランジ部を一体的に備えたレンズを有するレンズを備えた撮像モジュールには、フランジ部を一体的に備えたレンズを有しながらも径方向を極力小型化するための着想について提案されたものがない。
【０００５】
また一般に、フランジ部を一体的に備えたレンズを有する撮像モジュールでは、組立時に、フランジ部を一体的に備えたレンズにおけるフランジの端部を撮像素子の撮像面又はその近傍に突き当てて軸方向の位置調整を行う。このため、軸方向の位置調整の精度を高精度なものとするには、レンズに一体的に備えられたフランジ部の精度が要求される。
【０００６】
しかし、特許文献１に記載の撮像モジュールを構成するフランジが一体的に備えられたレンズ等、従来のフランジを一体的に備えたレンズでは、光学的に作用する部位（レンズ部）の近傍にゲートを設けており、溶融樹脂はゲート位置から離れたフランジ部の端部まで流れる途中で温度が低下して固まり易い。このため、フランジ部を高精度に形成することが加工上難しい。
【０００７】
本発明は、上記従来の課題に鑑みてなされたものであり、フランジを一体的に備えたレンズを有しながらも、径方向の増大を極力抑えて小型化でき、且つ、フランジの軸方向を高精度に形成して組立時における軸方向の位置決めを高精度に行うことが可能な撮像モジュール及び撮像モジュール用結像レンズを提供することを目的とする。
【課題を解決するための手段】
【０００８】
上記目的を達成するため、本発明による撮像モジュールは、フランジ部を備えたレンズを有する結像レンズと、前記フランジ部を備えたレンズの後方に配置された撮像素子を有する撮像モジュールにおいて、最も前記撮像素子側の前記フランジ部を備えたレンズの外周部が、該撮像素子側に向かうにつれて径が大きくなるように傾斜していることを特徴としている。
【０００９】
また、本発明の撮像モジュールにおいては、前記最も前記撮像素子側の前記フランジ部を備えたレンズが、ゲート跡が該撮像素子の近傍に位置するように、射出成型で製造されているのが好ましい。
【００１０】
また、本発明の撮像モジュールにおいては、前記結像レンズが２枚以上のレンズを有し、前記２枚以上のレンズにおいて、物体側に近いレンズであるほど径が小さいのが好ましい。
【００１１】
また、本発明の撮像モジュールにおいては、前記結像レンズが、該結像レンズに備わるレンズの外周部を保持する枠部材を有し、前記枠部材の外周部が、前記撮像素子側に向かうにつれて径が大きくなるように傾斜した傾斜部を有しているのが好ましい。
【００１２】
また、本発明の撮像モジュールにおいては、前記枠部材の内周部が、前記フランジ部を備えたレンズにおける該フランジ部の外周部との間に前記撮像素子側に向かうにつれて大きくなる隙間ができるように、該撮像素子側に向かうにつれて径が大きくなるように傾斜した傾斜部を有しているのが好ましい。
【００１３】
また、本発明の撮像モジュールにおいては、前記枠部材が、不透光性の材料からなり、前記結像レンズに備わるレンズの外周部の略全てを覆うように配置されているのが好ましい。
【００１４】
また、本発明の撮像モジュールにおいては、前記枠部材が、不透光性の材料からなり、前記結像レンズに備わるレンズの外周部の一部を覆うように配置され、前記結像レンズに備わるレンズの外周部における前記枠部材で覆われない部位に、遮光部材が配置されているのが好ましい。
【００１５】
また、本発明の撮像モジュールにおいては、前記遮光部材が、黒色塗料が配合された接着剤であるのが好ましい。
【００１６】
また、本発明による撮像モジュール用結像レンズは、フランジ部を備えたレンズを有し、該フランジ部を備えたレンズを撮像素子の前方に配置された状態で撮像モジュールに用いられる結像レンズにおいて、最も撮像素子側の前記フランジ部を備えたレンズの外周部が、該撮像素子側に向かうにつれて径が大きくなるように傾斜していることを特徴としている。
【００１７】
また、本発明の撮像モジュール用結像レンズにおいては、前記最も前記撮像素子側の前記フランジ部を備えたレンズが、ゲート跡が該撮像素子の近傍に位置するように、射出成型で製造されているのが好ましい。
【００１８】
また、本発明の撮像モジュール用結像レンズにおいては、２枚以上のレンズを有し、前記２枚以上のレンズにおいて、物体側に近いレンズであるほど径が小さいのが好ましい。
【００１９】
また、本発明の撮像モジュール用結像レンズにおいては、該結像レンズに備わるレンズの外周部を保持する枠部材を有し、前記枠部材の外周部が、前記撮像素子側に向かうにつれて径が大きくなるように傾斜した傾斜部を有しているのが好ましい。
【００２０】
また、本発明の撮像モジュール用結像レンズにおいては、前記枠部材の内周部が、前記フランジ部を備えたレンズにおける該フランジ部の外周部との間に前記撮像素子側に向かうにつれて大きくなる隙間ができるように、該撮像素子側に向かうにつれて径が大きくなるように傾斜した傾斜部を有しているのが好ましい。
【００２１】
また、本発明の撮像モジュール用結像レンズにおいては、前記枠部材が、不透光性の材料からなり、前記撮像モジュール用結像レンズに備わるレンズの外周部の略全てを覆うように配置されているのが好ましい。
【００２２】
また、本発明の撮像モジュール用結像レンズにおいては、前記枠部材が、不透光性の材料からなり、前記撮像モジュール用結像レンズの外周部の一部を覆うように配置され、前記撮像モジュール用結像レンズの外周部における前記枠部材で覆われない部位に、遮光部材が配置されているのが好ましい。
【００２３】
また、本発明の撮像モジュール用結像レンズにおいては、前記遮光部材が、黒色塗料が配合された接着剤であるのが好ましい。
【００２４】
また、本発明の撮像モジュールは、内視鏡用に構成されているのが好ましい。
【００２５】
また、本発明の撮像モジュール用結像レンズは、内視鏡用に構成されているのが好ましい。
【００２６】
また、本発明の撮像モジュールにおいては、最も撮像素子側のレンズの光学部の中心の厚さをｔ１、該最も撮像素子側のレンズの光学面面頂から撮像素子までの距離をｔ２としたとき、次の条件式(1)を満足するのが好ましい。
ｔ２／ｔ１≧０．８                                      …(1)
【００２７】
また、本発明の撮像モジュールにおいては、前記枠部材の内周部のテーパ角をＡ、前記撮像モジュール用結像レンズに備わるレンズの外周部のテーパ角をＢとしたとき、次の条件式(2)を満足するのが好ましい。
Ａ／Ｂ≧１．５                                          …(2)
【００２８】
また、本発明の撮像モジュール用レンズにおいては、最も撮像素子側のレンズの光学部の中心の厚さをｔ１、該最も撮像素子側のレンズの光学面面頂から撮像素子までの距離をｔ２としたとき、次の条件式(1)を満足するのが好ましい。
ｔ２／ｔ１≧０．８                                      …(1)
【００２９】
また、本発明の撮像モジュール用レンズにおいては、前記枠部材の内周部のテーパ角をＡ、前記撮像モジュール用結像レンズに備わるレンズの外周部のテーパ角をＢとしたとき、次の条件式(2)を満足するのが好ましい。
Ａ／Ｂ≧１．５                                          …(2)
【発明の効果】
【００３０】
本発明の撮像モジュール及び撮像モジュール用結像レンズによれば、フランジを一体的に備えたレンズを有しながらも、径方向の増大を極力抑えて小型化でき、且つ、フランジの軸方向を高精度に形成して組立時における軸方向の位置決めを高精度に行うことが可能な撮像モジュール及び撮像モジュール用結像レンズが得られる。
【発明を実施するための最良の形態】
【００３１】
図１は本発明の一実施形態にかかる撮像モジュールの概略構成を示す説明図である。図２は図１の一変形例にかかる撮像モジュールの概略構成を示す説明図である。図３は図１及び図２の撮像モジュールにおけるフランジ部を一体的に備えたレンズの説明図であり、(a)はこのレンズを射出成型する際における型の基本構造を示す説明図、(b)はこのレンズを撮像素子側からみた図である。
【００３２】
本実施形態の撮像モジュールは、結像レンズ１０と、撮像素子２０を有して構成されている。なお、図１及び図２中、３０は絞りである。
結像レンズ１０は、物体側から順に、複数のレンズ１１，１２と、枠部材１３を有して構成されている。
レンズ１２は、射出成型により製造され、フランジ部１２ｂをレンズ部１２ａと一体的に備えている。図３中、Ｇは、射出成型時のゲート位置である。ゲートＧは、フランジ部１２ｂにおける撮像素子２０の近傍となる位置に設けられており、フランジ部１２ｂのゲートＧの対応部位にはゲート跡（図示省略）が残っている。また、レンズ１２は、フランジ部１２ｂの外周部１２ｂｏが、撮像素子２０側に向かうにつれて径が大きくなるように傾斜している。
レンズ１１は、レンズ１２よりも小さい径で構成されている。
【００３３】
枠部材１３は、不透光性の材料で製造されている。また、枠部材１３は、レンズ１１，１２の外周部の所定領域を保持する（なお、図２の変形例では、枠部材１３は、さらに、レンズ１１の物体側面の一部も保持している。）とともに、レンズ１１，１２の外周部の略全てを覆うように配置されている。また、図示を省略したが、レンズ１２のフランジ部１２ｂの外周部１２ｂｏにおける、枠部材１３によって覆われない部位には、黒色塗料を配合した接着剤等の遮光部材が配置されている。なお、枠部材１３がレンズ１１，１２の外周部全体を覆うようにしてもよい。
枠部材１３の外周部１３ｏは、撮像素子２０側に向かうにつれて径が大きくなるように傾斜した傾斜部１３ｏ１を有している。枠部材１３の内周部１３ｉは、レンズ１２におけるフランジ部１２ｂの外周部１２ｂｏとの間に、撮像素子２０側に向かうにつれて大きくなる隙間ができるように、撮像素子２０側に向かうにつれて径が大きくなるように傾斜した傾斜部１３ｉ１を有している
【００３４】
このように構成された本実施形態の撮像モジュールによれば、枠部材１３の外周部１３ｏを、撮像素子２０側に向かうにつれて径が大きくなるように傾斜した傾斜部１３ｏ１を有して構成したので、撮像素子２側の外径ａに比べて、物体側（先端側）の外径ｂが小さくなる。このため、フランジ部１２ｂを備えたレンズ１２を有した撮像モジュールにおける全体の外径を物体側に向けて極力小型化することができ、全体を大型化させることなく撮像モジュールの物体側にノズルやＬＥＤを配置するためのスペースを確保することができる。
【００３５】
また、レンズ１２の外周部を、撮像素子２０側に向かうにつれて径が大きくなるように傾斜させ、枠部材１３の内周部１３ｉを、レンズ１２におけるフランジ部１２ｂの外周部１２ｂｏとの間に、撮像素子２０側に向かうにつれて大きくなる隙間ができるように、撮像素子２０側に向かうにつれて径が大きくなるように傾斜した傾斜部１３ｉ１を有して構成したので、フランジ部１２ｂを備えたレンズ１２を有した撮像モジュール全体の撮像素子２０近傍の外径を極力小型化することができ、全体を大型化させることなく撮像モジュールの物体側にノズルやＬＥＤを配置するスペースを確保することができる。
なお、枠部材１３の内周部１３ｉにおける傾斜部１３ｉ１のテーパ角度をＡ、結像レンズ１０に備わるレンズ１２の外周部１２ｂｏのテーパ角をＢとしたとき、次の条件式(2)を満足すると、確実に隙間を確保することができ好ましい。
Ａ／Ｂ≧１．５                                          …(2)
【００３６】
また、ゲート跡が撮像素子２０の近傍に位置するように、レンズ１２を射出成型する際のゲートＧをフランジ部１２ｂにおける撮像素子２０の近傍となる位置に設けたので、レンズ１２の射出成型に使用する型の構造は、図３に示すように、フランジ部１２ｂの端部１２ｂｅ及び撮像素子２０への突き当て部１２ｂｅ’を形成する型Ｍ１と、フランジ部１２ｂ及びレンズ部１２ａの内側を形成する型Ｍ２と、フランジ部１２ｂ及びレンズ部１２ａの物体側を形成する型Ｍ３と、フランジ部１２ｂの外側を形成する型Ｍ４とで囲むような構造となり、型Ｍ１の撮像素子２０への突き当て部１２ｂｅ’を形成する部位を軸方向に短くして、ゲートＧからの溶融樹脂の流路を極力短くすることができる。このため、フランジ部１２ｂにおける撮像素子２０への突き当て部１２ｂｅ’の軸方向の加工がし易くなり、加工精度を高精度化することが可能となる。
また、最も撮像素子２０側のレンズであるレンズ１２のレンズ部１２ａの中心の厚さをｔ１、レンズ１２の撮像素子２０側のレンズ面面頂から撮像素子までの距離をｔ２としたとき、次の条件式(1)を満足すると、フランジ部１２ｂが軸方向に長くなるため、外周部１２ｂｏに設けられるテーパによる、撮像モジュールにおける全体の外径の物体側に向けた小型化の効果がより大きく得られる。
ｔ２／ｔ１≧０．８                                      …(1)
【００３７】
実施例１及び実施例２
このような本実施形態の撮像モジュールの効果は、カプセル内視鏡や一般の内視鏡など、小型化が求められている光学装置に用いた場合に、顕著なものとなる。
図４及び図５は夫々本発明の実施例１及び実施例２にかかる撮像モジュールを備えたカプセル内視鏡の要部概略構成を示す図で、(a)は物体側からみた内視鏡の平面図、(b)は(a)のＡ−Ａ断面図である。
図４のカプセル内視鏡は、透明カバー４１と、複数の例えばＬＥＤからなる照明部材４２と、撮像モジュールを有している。
透明カバー４１は、内視鏡本体ハウジング４３の先端に設けられている。
撮像モジュール４２は、基本的構成が図１に示した本実施形態の撮像モジュールと同様に構成されている。なお、図４中、２１は撮像素子の撮像面を覆うカバーガラスである。
内視鏡本体ハウジング４３の先端内部には基板部４４が設けられている。撮像モジュールは、基板部４４の中央部に取り付けられ、さらに、照明部材４２が、基板部４４における、撮像モジュールと内視鏡本体ハウジング４３との間に環状に配置されて取り付けられている。
また、図４のカプセル内視鏡では、最も撮像素子２０側に配置されるレンズ１２は、レンズ部１２ａの中心の厚さｔ１が１ｍｍ、光学面面頂から撮像素子２０までの距離ｔ２が１．３ｍｍであり、ｔ２／ｔ１＝１．３となっている。
また、枠部材１３の内周部１３ｉにおける傾斜部１３ｉ１のテーパ角Ａが１０度、レンズ１２におけるフランジ部１２ｂの外周部１２ｂｏのテーパ角Ｂが５度であり、Ａ／Ｂ＝２となっている。
【００３８】
図５のカプセル内視鏡は、撮像モジュールの基本的構成が図２に示した本実施形態の変形例の撮像モジュールと同様に構成されている。その他の構成は、図４のカプセル内視鏡とほぼ同じである。
【００３９】
実施例３
図６は本発明の実施例３にかかる撮像モジュールを備えたカプセル内視鏡の要部概略構成を示す断面図である。
実施例３のカプセル内視鏡は、撮像モジュールの基本的構成が図１に示した本実施形態の撮像モジュールと同様に構成されている。
本実施例では、最も撮像素子２０側に配置されるレンズ１２は、レンズ部１２ａの中心の厚さｔ１が１．１５ｍｍ、撮像素子２０側の光学面面頂から撮像素子２０までの距離ｔ２が１．１５ｍｍであり、ｔ２／ｔ１＝１となっている。
また、枠部材１３の内周部１３ｉにおける傾斜部１３ｉ１のテーパ角Ａが６度、レンズ１２におけるフランジ部１２ｂの外周部１２ｂｏのテーパ角Ｂが４度であり、Ａ／Ｂ＝１．５となっている。
【００４０】
実施例４
図７は本発明の実施例４にかかる撮像モジュールを備えたカプセル内視鏡の要部概略構成を示す断面図である。
実施例４のカプセル内視鏡は、撮像モジュールの基本的構成が図２に示した本実施形態の変形例の撮像モジュールと同様に構成されている。
本実施例では、最も撮像素子２０側に配置されるレンズ１２は、レンズ部１２ａの中心の厚さｔ１が０．８ｍｍ、撮像素子２０側の光学面面頂から撮像素子２０までの距離ｔ２が０．６５ｍｍであり、ｔ２／ｔ１＝０．８１２５となっている。
また、枠部材１３の内周部１３ｉにおける傾斜部１３ｉ１のテーパ角Ａが９度、レンズ１２におけるフランジ部１２ｂの外周部１２ｂｏのテーパ角Ｂが３度であり、Ａ／Ｂ＝３となっている。
【００４１】
内視鏡のような小型の観察装置の場合、撮像モジュールの周囲に照明部材等を配置せざるを得ない。一方、照明部材は、規格化されており任意の小型化が難しい。また、カプセル内視鏡のような人体内部を観察装置においては、極く僅かであっても小型化による患者への負担軽減度が非常に大きい。
しかるに、図４〜図７に示した実施例１〜４のカプセル内視鏡によれば、本実施形態の撮像モジュールを用いたので、撮像モジュール全体の径を極力小型化することができる。これにより、その周囲に配置する光学部材の配置スペースを充分に確保しながら、カプセル内視鏡全体を小型化することができる。
また、レンズ１２のフランジ部１２ｂの突き当て部１２ｂｅを高精度に形成することができ、製造時において撮像素子２０に対し高精度に位置決めすることができる。
【００４２】
なお、上記実施形態においては、撮像モジュールについて説明したが、結像レンズ１０を一つの撮像モジュール用のユニットとし、これに任意の撮像素子を組合せても、撮像モジュールと同様の作用効果が得られる。
また、結像レンズ１０は２つのレンズ１１，１２からなる構成に限定されず、３つ以上のレンズで構成してもよい。なお、その場合には、最も撮像素子に近いレンズを上記実施形態におけるレンズ１２と同様のフランジ部を有するレンズとして構成すればよい。
【産業上の利用可能性】
【００４３】
本発明の撮像モジュールは、例えば、カプセル内視鏡や一般の内視鏡等、小型化かつ高精度化が要求される、小型撮像素子を備えた観察装置を製造、及び使用する分野に有用である。
【図面の簡単な説明】
【００４４】
【図１】本発明の一実施形態にかかる撮像モジュールの概略構成を示す説明図である。
【図２】図２は図１の一変形例にかかる撮像モジュールの概略構成を示す説明図である。
【図３】図１及び図２の撮像モジュールにおけるフランジ部を一体的に備えたレンズの説明図であり、(a)はこのレンズを射出成型する際における型の基本構造を示す説明図、(b)はこのレンズを撮像素子側からみた図である。
【図４】本発明の実施例１にかかる撮像モジュールを備えたカプセル内視鏡の要部概略構成を示す図で、(a)は物体側からみた内視鏡の平面図、(b)は(a)のＡ−Ａ断面図である。
【図５】本発明の実施例２にかかる撮像モジュールを備えたカプセル内視鏡の要部概略構成を示す図で、(a)は物体側からみた内視鏡の平面図、(b)は(a)のＡ−Ａ断面図である。
【図６】本発明の実施例３にかかる撮像モジュールを備えたカプセル内視鏡の要部概略構成を示す断面図である。
【図７】本発明の実施例４にかかる撮像モジュールを備えたカプセル内視鏡の要部概略構成を示す断面図である。
【符号の説明】
【００４５】
１０          結像レンズ
１１，１２    レンズ
１２ａ        レンズ部
１２ｂ        フランジ部
１２ｂｅ      フランジ部の端部
１２ｂｅ’    突き当て部
１２ｂｏ      外周部
１３          枠部材
１３ｉ        内周部
１３ｉ１      内周部の傾斜部
１３ｏ        外周部
１３ｏ１      外周部の傾斜部
２０          撮像素子
２１          カバーガラス
３０          絞り
４１          透明カバー
４２          照明部材
４３          内視鏡本体ハウジング
４４          基板部
Ｍ１、Ｍ２、Ｍ３、Ｍ４          型
Ｇ            ゲート
【図１】
2008129133.tif 000003
【図２】
2008129133.tif 000004
【図３】
2008129133.tif 000005
【図４】
2008129133.tif 000006
【図５】
2008129133.tif 000007
【図６】
2008129133.tif 000008
【図７】
2008129133.tif 000009